(57)【要約】【課題】  携帯電話機において、着信ランプとカメラフラッシュとの乳白窓の共通化を図って、部品点数の削減、組み立て工数の削減、コストダウンを可能とすると共に、着信ランプ点灯時の見栄えも良好とする。【解決手段】  着信ランプ１とカメラフラッシュ２とに共通の乳白窓６をケース８に設け、両者を近くに取付ける。そして着信ランプ１の点灯時に着信ランプの影を外部に対して遮蔽するための遮蔽部分１２をもケース８に設ける。この遮蔽部分１２はケース８自身で代用する。こうすることにより、着信ランプ１とカメラフラッシュ２の光は共用乳白窓６により確認でき、着信ランプ点灯時には、この着信ランプ１の影は外部から見えないので、見栄えも損われない。よって、乳白窓６の乳白度をカメラフラッシュ２に合わせることができる。【選択図】      図１
2006352388.tif 000002
【特許請求の範囲】
【請求項１】
着信ランプとカメラフラッシュとを有する携帯端末のケース構造であって、
前記着信ランプの光と前記カメラフラッシュの光とを透過するための共通の窓部と、
前記着信ランプの陰影を遮蔽するための遮蔽部とを有することを特徴とするケース構造。
【請求項２】
前記遮蔽部はケース自身で代用してなることを特徴とする請求項１記載のケース構造。
【請求項３】
着信ランプとカメラフラッシュとを有する携帯端末であって、
前記着信ランプの光と前記カメラフラッシュの光とを透過するための共通の窓部と、前記着信ランプの陰影を遮蔽するための遮蔽部とをケースに設けたことを特徴とする携帯端末。
【請求項４】
前記遮蔽部はケース自身で代用してなることを特徴とする請求項３記載の携帯端末。
【請求項５】
前記着信ランプは、前記共通の窓部の真下以外の前記カメラフラッシュの近傍に配置されていることを特徴とする請求項３または４記載の携帯端末。
【発明の詳細な説明】
【技術分野】
【０００１】
本発明は携帯端末及びそのケース構造に関し、特に着信ランプとカメラ用のフラッシュランプとを有する携帯端末及びそのケース構造に関するものである。
【背景技術】
【０００２】
近年の携帯電話機においては、その多機能化により、携帯電話の本来の通信機能の他に、ＣＣＤカメラによる撮像機能などが付加されている。このようなカメラを内蔵した携帯端末の外観図を図３に示している。図３を参照すると、いわゆる折り畳み式の携帯電話機を折り畳んだ状態で、それを副表示部側から見た外観平面図が示されている。
【０００３】
図３において、表示部側ケース８は、その一面（背面）にＬＣＤ副表示部７を有しており、他面（図示せず）にはＬＣＤ主表示部を有している。この表示部側ケース８はヒンジ部９により図示せぬ操作部側ケースに対して折り畳み自在に連結されている。図では、折り畳んだ状態である。このケース８の内部には、カメラ５と、このカメラのためのフラッシュ２と、着信ランプ１とが収納されている。
【０００４】
そして、このケース８には、着信ランプ用乳白窓３とカメラフラッシュ用乳白窓４とが、着信ランプ１とカメラフラッシュ２との直上にそれぞれ設けられている。着信ランプ用乳白窓３は着信時に着信ランプ１の光を透過してユーザに対して着信を報知するための窓であり、またカメラフラッシュ用乳白窓４は、カメラ５による撮像時におけるフラッシュライトを透過して撮像対象を照射するための窓である。
【０００５】
このように、着信ランプ１とカメラフラッシュ２との各々に対応して、乳白色の窓３と４とをケース８に設けることが必要であり、よって部品点数の増加によるコストアップや組み立て工数の増加などを招来することになる。そこで、特許文献１や２を参照すると、着信ランプとカメラフラッシュとを兼用する技術が開示されている。
【０００６】
【特許文献１】特開２００３−３３３１５５号公報
【特許文献２】特開２００５−１０２００号公報
【発明の開示】
【発明が解決しようとする課題】
【０００７】
特許文献１や２の技術に示す如く、着信ランプとカメラフラッシュとを兼用する構成では、次のような問題がある。すなわち、カメラフラッシュは白色光であるが、着信ランプは種々の色が用いられているために、１つの発光素子では両者を兼用することができず、よって、発光素子はやはり複数となってしまい、部品点数の増加や組み立て工数の増加、更にはコストアップという課題を克服することはできないという問題がある。
【０００８】
そこで、着信ランプとカメラフラッシュとを互いに近くに配置するようにして、１つの共用乳白窓を設けて、両者の光をこの共用乳白窓を通して点灯させる構造も考えられるが、着信ランプとカメラフラッシュとでは、乳白窓に必要とされる乳白度が異なる。つまり、着信ランプに関しては、乳白度をできるだけ濃くして、着信ランプ点灯時における着信ランプ自身の陰影が窓から見えないようにして見栄えを良くする必要があるのに対して、カメラフラッシュに関しては、乳白度をできるだけ薄くして、フラッシュライトの光量の減衰をできるだけ少なくすることが必要である。
【０００９】
このように、着信ランプとカメラフラッシュとに対する窓の乳白色の関係は、いわゆるトレードオフの関係にあり、よって共用窓の乳白度の選定が極めて困難となるという問題が生ずることになる。
【００１０】
本発明の目的は、部品点数、組み立て工数、コストの各削減を図りつつ乳白窓の乳白度のトレードオフをも解決可能とした携帯端末及びそのケース構造を提供することである。
【課題を解決するための手段】
【００１１】
本発明によるケース構造は、着信ランプとカメラフラッシュとを有する携帯端末のケース構造であって、前記着信ランプの光と前記カメラフラッシュの光とを透過するための共通の窓部と、前記着信ランプの陰影を遮蔽するための遮蔽部とを有することを特徴とする。そして、前記遮蔽部はケース自身で代用してなることを特徴とする。
【００１２】
本発明による携帯端末は、着信ランプとカメラフラッシュとを有する携帯端末であって、前記着信ランプの光と前記カメラフラッシュの光とを透過するための共通の窓部と、前記着信ランプの陰影を遮蔽するための遮蔽部とをケースに設けたことを特徴とする。そして、前記遮蔽部はケース自身で代用してなることを特徴とする。また、前記着信ランプは、前記共通の窓部の真下以外の前記カメラフラッシュの近傍に配置されていることを特徴とする。
【００１３】
本発明の作用を述べる。着信ランプとカメラフラッシュとに共通の窓部をケースに設けると共に、着信ランプ点灯時に着信ランプ陰影を外部に対して遮蔽するための遮蔽部をも設けておくことにより、着信ランプ点灯時の見栄えが良くなると共に、共通窓の乳白色をカメラフラッシュに必要な乳白度に選定することが容易となる。
【発明の効果】
【００１４】
本発明によれば、着信ランプとカメラフラッシュとの窓を共用にしても、当該窓の乳白度の選定が容易になると共に、部品点数、組み立て工数、コストの各削減ができるという効果が得られる。また、着信ランプ点灯時の見栄えも良好にできるという効果もある。
【発明を実施するための最良の形態】
【００１５】
以下に図面を参照して本発明の実施の形態について説明する。図１は本発明の実施の形態の平面図であり、図２は図１のＡ−Ａ線に沿う断面図である。なお、図１，２において、図３と同等部分は同一符号により示している。
【００１６】
図１，２を参照すると、折り畳み式携帯電話機の表示側ケース８をヒンジ部９を用いて折り畳んだ状態であり、この表示側ケース８の背面には、ＬＣＤ副表示部７と共用乳白窓６とが設けられている。この共用乳白窓６はカメラフラッシュ２と着信ランプ１との両光に対して共通に設けられた光透過用の窓である。共用乳白窓６はカメラフラッシュ２の真上に設けられており、着信ランプ１はこのカメラフラッシュ２の近傍位置に設けられているものの、この共用乳白窓６からは着信ランプ１は見えない位置に設けられている。すなわち、着信ランプ１はこの窓６の真下以外のカメラフラッシュ２の近傍に設けられている。
【００１７】
すなわち、この着信ランプ１の真上には、着信ランプ１の点灯時にその陰影を遮蔽するための遮蔽部分（遮光部分）１２が設けられていることになり、この遮蔽部分１２はケース８により代用されているが、特別の遮光部材で形成しても良いが、コスト的にはケース８で代用するのが良い。
【００１８】
なお、着信ランプ１及びカメラフラッシュ２はケース８内に収納されている回路基板１１上に取付けられている。ケース８の背面（副表示部７のある面）とは対向する面には、ＬＣＤ主表示部１０が設けられている。また、５はカメラを示している。
【００１９】
図１，２に示す構成とすることによって、１つの共用乳白窓６から、着信ランプ１とカメラフラッシュ２との光が透過して着信の確認及びフラッシュライトの実現が可能になる。また、着信ランプ１の真上には遮蔽部分１２が存在するために、着信ランプ１の点灯時における当該ランプ自身の影が外部のユーザに見えないので、着信ライトのみ確認できることになる。従って、見栄えも良くなり、また共用窓６の乳白度を、カメラフラッシュ２に対応したものに選定できるので、カメラフラッシュに適応した乳白窓とすることができることになるのである。
【００２０】
上述した実施の形態においては、折り畳み式の携帯電話機に本発明を適用した例を示したが、折り畳み式に限られることなく、広く一般の携帯電話機に適用可能であり、また携帯電話機に限定されることなく、着信ランプとカメラフラッシュとを有する携帯情報端末などの携帯端末に広く適用できることは明らかである。
【図面の簡単な説明】
【００２１】
【図１】本発明の実施の形態の外観平面図である。
【図２】図１のＡ−Ａ線に沿う断面図である。
【図３】従来の携帯電話機の外観平面図である。
【符号の説明】
【００２２】
１  着信ランプ
２  カメラフラッシュ
５  カメラ
６  共用乳白窓
７  副表示部
８  表示部側ケース
９  ヒンジ部
１０  主表示部
１１  回路基板
１２  遮蔽部（遮光部）
【図１】
2006352388.tif 000003
【図２】
2006352388.tif 000004
【図３】
2006352388.tif 000005